(57)【要約】      （修正有）【課題】乳幼児が、寝ている間に掛け布団を蹴飛ばしても、脱落することなく、元に戻る乳幼児用細布団を提供する。【解決手段】乳幼児の掛け布団１と敷布団２の山に近い部分および中間部分に、留め金付きフックおよび金属環を設置するか、あるいは布の帯３，４または紐などを縫い付ける。留め金付きフックを金属環に掛けるか、あるいは布の帯または紐を用いて、乳幼児の掛け布団と敷布団を連結させる。夜間トイレに起きた時や目覚めた時には、留め金付きフックをはずすか、あるいは布の帯または紐をほどく。【選択図】図１
0003152116.tif 000002
【実用新案登録請求の範囲】
【請求項１】
敷布団に、布の帯あるいは紐もしくは布のループを縫い付けた組布団。
【請求項２】
掛け布団あるいは敷布団に、留め金付きフックを設置した組布団。
【請求項３】
掛け布団の山に近い部分の両脇および中間部分の両脇に、布の帯あるいは紐もしくは布のループを１本ずつ縫い付けた、請求項１記載の組布団。
【請求項４】
敷布団にも、掛け布団の布の帯あるいは紐もしくは布のループと相対する位置に、布の帯あるいは紐もしくは布のループを１本ずつ縫い付けた、請求項３記載の組布団。
【請求項５】
掛け布団の山に近い部分の両脇および中間部分の両脇に、留め金付きフックをひとつずつ設置した、請求項２記載の組布団。
【請求項６】
敷布団にも、掛け布団の留め金付きフックと相対する位置に、金属環をひとつずつ設置した、請求項５記載の組布団。
【請求項７】
掛け布団の山に近い部分の両脇および中間部分の両脇に、金属環をひとつずつ設置し、敷布団にも、掛け布団の金属環と相対する位置に、留め金付きフックをひとつずつ設置した、請求項２記載の組布団。
【考案の詳細な説明】
【技術分野】
【０００１】  本考案は、組布団に関するものである。
【背景技術】
【０００２】  従来の乳幼児の組布団は、掛け布団と敷布団が別々である。掛け布団と敷布団の間に、両者を連結できるものは存在しない。
【考案の開示】
【考案が解決しようとする課題】
【０００３】  乳幼児が、寝ている間に掛け布団を蹴ることは、珍しくない。また、蹴飛ばされた掛け布団を、乳幼児が自分で掛け直すこともできない。このため、家族が気付くまで、掛け布団を掛けないまま寝てしまう。最悪、夜明けまで家族が気付かない場合もある。乳幼児が、このような状態で寝ていると、非常に寒く、病気にかかりやすい。特に冬は、その可能性が高くなる。従来の乳幼児用掛け布団には、保温の意味が失われている。乳幼児にとって、このような掛け布団は、ないに等しい。掛けてあっても、ちょっと蹴れば飛んでしまうので、蹴飛ばしたあと、家族が気付くまで掛け直すことができない。【０００４】  本考案は、従来の乳幼児用掛け布団に存在する、上記の問題を解決することができる。
【課題を解決するための手段】
【０００５】  本考案は、乳幼児の掛け布団と敷布団の山に近い部分および中間部分に、留め金付きフックおよび金属環を設置するか、あるいは布の帯および紐などを縫い付ける。乳幼児が寝ている間は、留め金付きフックを金属環に掛けるか、あるいは布の帯または紐を用いて、乳幼児の掛け布団と敷布団を連結させる。夜間トイレに起きた時や目覚めた時には、留め金付きフックをはずすか、あるいは布の帯または紐をほどく。
【考案の効果】
【０００６】  上述したように、本考案の乳幼児が蹴飛ばせない組布団における掛け布団を、乳幼児が蹴り上げても、布団は元の位置に戻ってくる。たとえ元の位置からずれてしまっても、そのずれ方は少ない。乳幼児が掛け布団を蹴るのは、往々にして掛け布団が熱いからである。本考案の乳幼児が蹴飛ばせない掛け布団は、蹴り上げることができる。よって、掛け布団にこもった熱は、布団の両脇および裾の隙間（掛け布団と敷布団の間の隙間）から出ていき、冷気が隙間から入り込むことにより、温度を下げることができる。また、掛け布団は、蹴り上げられても元の位置に戻ることから（たとえずれてしまっても、そのずれ方は少ない）、寝ている間に乳幼児の体が冷えることはない。
【考案を実施するための最良の形態】
【０００７】  実施例１では、掛け布団の山に近い部分の両脇および中間部分の両脇に、布の帯（あるいは紐）を１本ずつ縫い付け、敷布団にも掛け布団の布の帯と相対する位置に、布の帯（あるいは紐）もしくは布のループを１本ずつ縫い付ける。乳幼児が布団に入ったら、掛け布団の布の帯と、敷布団の相対する布の帯を結ぶか、掛け布団の布の帯を、敷布団の相対する布のループに結び付ける。こうすれば、乳幼児が掛け布団を蹴った時、布団は上に蹴り上げられ、掛け布団と敷布団の間に隙間ができる。ここから、掛け布団にこもった熱が出ていく。乳幼児が夜間トイレに起きた時や目覚めた時には、布の帯（あるいは紐）をほどく。【０００８】  実施例２では、乳幼児の掛け布団の山に近い部分と中間部分の両脇に、留め金付きフックをひとつずつ設置し、敷布団にも掛け布団の留め金付きフックと相対する位置に、金属環を設置する。乳幼児が布団に入ったら、掛け布団の留め金付きフックを、敷布団の相対する金属環に掛ける。乳幼児が夜間トイレに起きた時や目覚めた時には、留め金付きフックをはずす。
【実施例１】
【０００９】  図１と図２に沿って説明する。１は掛け布団である。２は敷布団である。３は掛け布団に縫い付けられた布の帯である。４は敷布団に縫い付けられた布の帯である。５は布のループである。掛け布団１の山に近い部分と中間部分の両脇に、布の帯３を１本ずつ縫い付ける。敷布団２において、掛け布団１における布の帯３と相対する位置に、布の帯４あるいは布のループ５を１本ずつ縫い付ける。
【実施例２】
【００１０】  図３と図４に沿って説明する。６は留め金付きフックである。７は引き金である。８は留め金付きフックである。９は引き金である。乳幼児の掛け布団における、山に近い部分の両脇および中間部分の両脇に、留め金付きフック６または８をひとつずつ設置し、敷布団にも、掛け布団の留め金付きフックと相対する位置に、金属環をひとつずつ設置する。乳幼児が布団に入ったら、掛け布団の留め金付きフック６あるいは８に付いている引き金７あるいは９を引いて、留め金付きフック６あるいは８の口を開け、留め金付きフック６あるいは８を、敷布団の相対する金属環に掛ける。引き金から手を放して、留め金付きフック６あるいは８の口を閉じる。このようにして、掛け布団の留め金付きフックを、敷布団に掛ける。
【図面の簡単な説明】
【００１１】
【図１】本考案の実施例１における、乳幼児が蹴飛ばせない組布団の略図
【図２】布のループを縫い付けた掛け布団
【図３】留め金付きフック
【図４】留め金付きフック
【符号の説明】
【００１２】１  掛け布団
２  敷布団
３  布の帯
４  布の帯
５  布のループ
６  留め金付きフック
７  引き金
８  留め金付きフック
９  引き金
【図１】
0003152116.tif 000003
【図２】
0003152116.tif 000004
【図３】
0003152116.tif 000005
【図４】
0003152116.tif 000006
【手続補正書】
【提出日】平成21年4月24日(2009.4.24)
【手続補正１】
【補正対象書類名】実用新案登録請求の範囲
【補正対象項目名】全文
【補正方法】変更
【補正の内容】
【実用新案登録請求の範囲】
【請求項１】
掛け布団の山に近い部分の両脇および中間部分の両脇に、布の帯あるいは紐もしくは布のループを１本ずつ縫い付けた、敷布団にも、掛け布団の布の帯あるいは紐もしくは布のループと相対する位置に、布の帯あるいは紐もしくは布のループを１本ずつ縫い付けた組布団。
【請求項２】
掛け布団の山に近い部分の両脇および中間部分の両脇に、留め金付きフックをひとつずつ設置した、敷布団にも、掛け布団の留め金付きフックと相対する位置に、金属環をひとつずつ設置した組布団。
【請求項３】
掛け布団の山に近い部分の両脇および中間部分の両脇に、金属環をひとつずつ設置した、敷布団にも、掛け布団の金属環と相対する位置に、留め金付きフックをひとつずつ設置した組布団。